【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
入力画像におけるズーム操作を検出する画像処理方法であって、
前記入力画像の各部から動きベクトルを検出する動きベクトル検出のステップと、
前記動きベクトル検出のステップで検出した動きベクトルを処理して前記ズームの操作を検出する動きベクトル処理のステップとを有し、
前記動きベクトル処理のステップは、
ズーム中心である確からしさを示すズーム中心信頼度を前記入力画像に対応して設定したズームインマップについて、前記ズーム中心信頼度を初期化した後、前記動きベクトル検出のステップで検出した動きベクトル毎に、前記動きベクトルの始点から前記動きベクトルで特定される方向とは逆方向に存在する前記ズームインマップ上の画素の前記ズーム中心信頼度に所定の加算値を加算するズームインマップ計算ステップと、
ズーム中心である確からしさを示すズーム中心信頼度を前記入力画像に対応して設定したズームアウトマップについて、前記ズーム中心信頼度を初期化した後、前記動きベクトル検出のステップで検出した動きベクトル毎に、前記動きベクトルの始点から前記動きベクトルで特定される方向に存在する前記ズームアウトマップ上の画素の前記ズーム中心信頼度に所定の加算値を加算するズームアウトマップ計算ステップと、
前記ズームアウトマップにおける前記ズーム中心信頼度の最大値と、前記ズームインマップにおける前記ズーム中心信頼度の最大値とを判定して、ズームイン、ズームアウト、ズーム操作無しの判定結果を出力するズーム操作判定のステップとを有する
画像処理方法。
【請求項２】
前記動きベクトル処理のステップは、
前記ズームアウトマップにおける前記ズーム中心信頼度の最大値の存在箇所に基づいて、ズームアウト時におけるズーム中心を検出し、前記ズームインマップにおける前記ズーム中心信頼度の最大値の存在箇所に基づいて、ズームイン時におけるズーム中心を検出するズーム中心検出のステップを有する
請求項１に記載の画像処理方法。
【請求項３】
前記動きベクトル処理のステップは、
前記入力画像の背景に属する動きベクトルを選択的に処理して前記ズームの操作を検出する
請求項１に記載の画像処理方法。
【請求項４】
前記動きベクトル処理のステップは、
前記動きベクトルを処理してズーム倍率を計算するズーム倍率計算のステップを有する
請求項１に記載の画像処理方法。
【請求項５】
前記ズーム倍率計算のステップは、
前記動きベクトルの始点間の距離と、対応する動きベクトルにおける終点間の距離との比を平均値化して前記ズーム倍率を計算する
請求項４に記載の画像処理方法。
【請求項６】
前記ズームインマップ及び又はズームアウトマップの画素ピッチを、前記入力画像の画素ピッチと異なるように設定した
請求項１に記載の画像処理方法。
【請求項７】
前記ズームインマップ計算ステップにおける前記動きベクトルで特定される方向とは逆方向に存在する前記ズームインマップ上の画素が、
前記動きベクトルの始点から前記逆方向に一定の角度で広がる円錐形状の領域に含まれる画素であり、
前記ズームアウトマップ計算ステップにおける前記動きベクトルで特定される方向に存在する前記ズームアウトマップ上の画素が、
前記動きベクトルの始点から前記動きベクトルで特定される方向に一定の角度で広がる円錐形状の領域に含まれる画素である
請求項１に記載の画像処理方法。
【請求項８】
前記ズームインマップ計算ステップ及びズームアウトマップ計算ステップは、
前記円錐形状の領域に含まれる画素に同一の前記加算値を設定する
請求項７に記載の画像処理方法。
【請求項９】
前記ズームインマップ計算ステップ及びズームアウトマップ計算ステップは、
前記円錐形状の領域の中心軸から遠ざかるに従って値が小さくなるように前記加算値を設定する
請求項７に記載の画像処理方法。
【請求項１０】
前記ズーム操作判定のステップは、
前記ズームアウトマップにおける前記ズーム中心信頼度の最大値と、前記ズームインマップにおける前記ズーム中心信頼度の最大値との差分値を計算する差分値計算のステップと、
前記差分値をしきい値で判定して、前記ズームイン、ズームアウト、ズーム操作無しの判定結果を出力する判定のステップとを有する
請求項１に記載の画像処理方法。
【請求項１１】
入力画像におけるズーム操作を検出する画像処理方法のプログラムであって、
前記入力画像の各部から動きベクトルを検出する動きベクトル検出のステップと、
前記動きベクトル検出のステップで検出した動きベクトルを処理して前記ズームの操作を検出する動きベクトル処理のステップとを有し、
前記動きベクトル処理のステップは、
ズーム中心である確からしさを示すズーム中心信頼度を前記入力画像に対応して設定したズームインマップについて、前記ズーム中心信頼度を初期化した後、前記動きベクトル検出のステップで検出した動きベクトル毎に、前記動きベクトルの始点から前記動きベクトルで特定される方向とは逆方向に存在する前記ズームインマップ上の画素の前記ズーム中心信頼度に所定の加算値を加算するズームインマップ計算ステップと、
ズーム中心である確からしさを示すズーム中心信頼度を前記入力画像に対応して設定したズームアウトマップについて、前記ズーム中心信頼度を初期化した後、前記動きベクトル検出のステップで検出した動きベクトル毎に、前記動きベクトルの始点から前記動きベクトルで特定される方向に存在する前記ズームアウトマップ上の画素の前記ズーム中心信頼度に所定の加算値を加算するズームアウトマップ計算ステップと、
前記ズームアウトマップにおける前記ズーム中心信頼度の最大値と、前記ズームインマップにおける前記ズーム中心信頼度の最大値とを判定して、ズームイン、ズームアウト、ズーム操作無しの判定結果を出力するズーム操作判定のステップとを有する
画像処理方法のプログラム。
【請求項１２】
入力画像におけるズーム操作を検出する画像処理方法のプログラムを記録した記録媒体であって、
前記画像処理方法のプログラムは、
前記入力画像の各部から動きベクトルを検出する動きベクトル検出のステップと、
前記動きベクトル検出のステップで検出した動きベクトルを処理して前記ズームの操作を検出する動きベクトル処理のステップとを有し、
前記動きベクトル処理のステップは、
ズーム中心である確からしさを示すズーム中心信頼度を前記入力画像に対応して設定したズームインマップについて、前記ズーム中心信頼度を初期化した後、前記動きベクトル検出のステップで検出した動きベクトル毎に、前記動きベクトルの始点から前記動きベクトルで特定される方向とは逆方向に存在する前記ズームインマップ上の画素の前記ズーム中心信頼度に所定の加算値を加算するズームインマップ計算ステップと、
ズーム中心である確からしさを示すズーム中心信頼度を前記入力画像に対応して設定したズームアウトマップについて、前記ズーム中心信頼度を初期化した後、前記動きベクトル検出のステップで検出した動きベクトル毎に、前記動きベクトルの始点から前記動きベクトルで特定される方向に存在する前記ズームアウトマップ上の画素の前記ズーム中心信頼度に所定の加算値を加算するズームアウトマップ計算ステップと、
前記ズームアウトマップにおける前記ズーム中心信頼度の最大値と、前記ズームインマップにおける前記ズーム中心信頼度の最大値とを判定して、ズームイン、ズームアウト、ズーム操作無しの判定結果を出力するズーム操作判定のステップとを有する
画像処理方法のプログラムを記録した記録媒体。
【請求項１３】
入力画像におけるズーム操作を検出する画像処理装置であって、
前記入力画像の各部から動きベクトルを検出する動きベクトル検出部と、
前記動きベクトル検出部で検出した動きベクトルを処理して前記ズームの操作を検出する動きベクトル処理部とを有し、
前記動きベクトル処理部は、
ズーム中心である確からしさを示すズーム中心信頼度を前記入力画像に対応して設定したズームインマップについて、前記ズーム中心信頼度を初期化した後、前記動きベクトル検出部で検出した動きベクトル毎に、前記動きベクトルの始点から前記動きベクトルで特定される方向とは逆方向に存在する前記ズームインマップ上の画素の前記ズーム中心信頼度に所定の加算値を加算するズームインマップ計算部と、
ズーム中心である確からしさを示すズーム中心信頼度を前記入力画像に対応して設定したズームアウトマップについて、前記ズーム中心信頼度を初期化した後、前記動きベクトル検出部で検出した動きベクトル毎に、前記動きベクトルの始点から前記動きベクトルで特定される方向に存在する前記ズームアウトマップ上の画素の前記ズーム中心信頼度に所定の加算値を加算するズームアウトマップ計算部と、
前記ズームアウトマップにおける前記ズーム中心信頼度の最大値と、前記ズームインマップにおける前記ズーム中心信頼度の最大値とを判定して、ズームイン、ズームアウト、ズーム操作無しの判定結果を出力するズーム操作判定部とを有する
画像処理装置。
【手続補正２】
【補正対象書類名】明細書
【補正対象項目名】００１６
【補正方法】変更
【補正の内容】
【００１６】
また請求項１３の発明は、入力画像におけるズーム操作を検出する画像処理装置に適用して、前記入力画像の各部から動きベクトルを検出する動きベクトル検出部と、前記動きベクトル検出部で検出した動きベクトルを処理して前記ズームの操作を検出する動きベクトル処理部とを有し、前記動きベクトル処理部は、ズーム中心である確からしさを示すズーム中心信頼度を前記入力画像に対応して設定したズームインマップについて、前記ズーム中心信頼度を初期化した後、前記動きベクトル検出部で検出した動きベクトル毎に、前記動きベクトルの始点から前記動きベクトルで特定される方向とは逆方向に存在する前記ズームインマップ上の画素の前記ズーム中心信頼度に所定の加算値を加算するズームインマップ計算部と、ズーム中心である確からしさを示すズーム中心信頼度を前記入力画像に対応して設定したズームアウトマップについて、前記ズーム中心信頼度を初期化した後、前記動きベクトル検出部で検出した動きベクトル毎に、前記動きベクトルの始点から前記動きベクトルで特定される方向に存在する前記ズームアウトマップ上の画素の前記ズーム中心信頼度に所定の加算値を加算するズームアウトマップ計算部と、前記ズームアウトマップにおける前記ズーム中心信頼度の最大値と、前記ズームインマップにおける前記ズーム中心信頼度の最大値とを判定して、ズームイン、ズームアウト、ズーム操作無しの判定結果を出力するズーム操作判定部とを有するようにする。